(57)【要約】【課題】利用者の人物画像と背景画像を違和感なく合成できる写真撮影装置等を提供する。【解決手段】写真撮影装置は、制御装置、表示部、課金部、撮影部、照明、プリンタ、通信制御部、プリント物取出口、背景板等を有する。撮影部は利用者を撮影するものであり、制御装置は、撮影画像における利用者の人物画像と背景画像とを合成した合成画像を作成する。制御装置は、合成画像を作成する際、撮影画像から人物画像を抽出し、背景画像に合わせた人物画像の色の調整、人物画像の輪郭の半透明化、および背景画像に合わせた人物画像の輝度分布の補正を行うことが可能である。【選択図】図７
2019003304.tif 000002
【特許請求の範囲】
【請求項１】
利用者を撮影する撮影部と、
撮影画像における前記利用者の人物画像と背景画像とを合成した合成画像を作成する画像作成装置と、
を有し、
前記画像作成装置は、
前記撮影画像から前記人物画像を抽出する抽出手段と、
前記人物画像の輪郭部分と前記背景画像の混色処理を行う混色手段と、
を有することを特徴とする写真撮影装置。
【請求項２】
前記混色手段は、前記輪郭部分を半透明化した前記人物画像を前記背景画像の上に重畳した前記合成画像を作成するものであることを特徴とする請求項１記載の写真撮影装置。
【請求項３】
前記画像作成装置は、
前記人物画像における輝度分布を、前記背景画像の輝度分布に基づいて補正する補正手段を有することを特徴とする請求項１または請求項２記載の写真撮影装置。
【請求項４】
前記補正手段は、前記背景画像の輝度分布から定められた光源の位置と、前記背景画像における前記人物画像の位置に基づいて、前記人物画像における輝度分布を補正することを特徴とする請求項３記載の写真撮影装置。
【請求項５】
前記補正手段は、前記光源と前記人物画像の画素の距離に基づいて、前記人物画像の輝度分布を補正することを特徴とする請求項４に記載の写真撮影装置。
【請求項６】
前記画像作成装置は、
前記人物画像の画素の色を、前記背景画像の代表色に近付けるように調整する調整手段を有することを特徴とする請求項１から請求項５のいずれかに記載の写真撮影装置。
【請求項７】
利用者を撮影する撮影部と、
撮影画像における前記利用者の人物画像と背景画像とを合成した合成画像を作成する画像作成装置と、
を有する写真撮影装置の前記画像作成装置としてコンピュータを機能させるためのプログラムであって、
前記コンピュータを、
前記撮影画像から前記人物画像を抽出する抽出手段と、
前記人物画像の輪郭部分と前記背景画像の混色処理を行う混色手段と、
して機能させるためのプログラム。
【発明の詳細な説明】
【技術分野】
【０００１】
本発明は、写真撮影装置およびそのプログラムに関する。
【背景技術】
【０００２】
利用者を撮影してその撮影画像をプリントする写真撮影装置は種々存在する。このような写真撮影装置では、所定色の背景板をバックにして利用者を撮影することで、撮影画像から利用者の人物画像のみを抽出し、予め選択された背景画像に合成（クロマキー合成）するサービスも行われている（例えば特許文献１、２など）。
【先行技術文献】
【特許文献】
【０００３】
【特許文献１】特開2017-34354号公報
【特許文献２】特開2016-146623号公報
【発明の概要】
【発明が解決しようとする課題】
【０００４】
しかしながら、合成後の画像では、人物画像の輪郭が背景画像に対して浮いて見えることがあり、違和感を与える要因となっていた。例えば特許文献１では人物画像の色合いを背景画像の色合いに応じて調整しているが、このような違和感を解消するものでなかった。
【０００５】
その他、違和感を与える要因としては光源の違いによるものも存在する。その一例に光の当て方に関するものがあり、例えば、写真撮影時の光源の位置等が、背景画像における光の当たり方に対して大きく異なっていると、これも合成後の画像に違和感を与える要因となる。例えば特許文献２では人物画像に影を付して光の当たり方を表現しているが、この影は人物画像から作成するもので、背景画像における光の当たり方に由来するものではなかった。
【０００６】
本発明は上記の問題に鑑みてなされたものであり、利用者の人物画像と背景画像を違和感なく合成できる写真撮影装置等を提供することを目的とする。
【課題を解決するための手段】
【０００７】
前述した課題を解決するための第１の発明は、利用者を撮影する撮影部と、撮影画像における前記利用者の人物画像と背景画像とを合成した合成画像を作成する画像作成装置と、を有し、前記画像作成装置は、前記撮影画像から前記人物画像を抽出する抽出手段と、前記人物画像の輪郭部分と前記背景画像の混色処理を行う混色手段と、を有することを特徴とする写真撮影装置である。
【０００８】
本発明では、利用者の撮影画像から抽出した人物画像を背景画像に合成するにあたり、上記の混色手段によって人物画像の輪郭を背景画像になじませることで、合成画像に生じる違和感を低減でき、従来不自然になりがちであった合成画像を自然な仕上がりにできる。
【０００９】
前記混色手段は、例えば、前記輪郭部分を半透明化した前記人物画像を前記背景画像の上に重畳した前記合成画像を作成するものである。
これにより、人物画像の輪郭を背景画像に好適になじませることができる。
【００１０】
前記画像作成装置は、前記人物画像における輝度分布を、前記背景画像の輝度分布に基づいて補正する補正手段を有することが望ましい。前記補正手段は、例えば前記背景画像の輝度分布から定められた光源の位置と、前記背景画像における前記人物画像の位置に基づいて、前記人物画像における輝度分布を補正する。また、前記光源と前記人物画像の画素の距離に基づいて、前記人物画像の輝度分布を補正する。
本発明では、人物画像の輝度分布を、背景画像の輝度分布に基づいて補正することで、人物画像の光の当たり方を背景画像の光の当たり方に合わせ、合成画像に生じる違和感をさらに低減できる。この際、背景画像の輝度分布から定められた光源の位置と人物画像の位置に基づいて輝度分布の補正を行うことで、背景画像の光の当たり方に合わせた補正を好適に行うことができる。また光源と人物画像の画素の距離に応じた補正を行うことで、光源からの距離による光量の低下を表現した補正ができる。
【００１１】
前記画像作成装置は、前記人物画像の画素の色を、前記背景画像の代表色に近付けるように調整する調整手段を有することが望ましい。
このように、人物画像の画素の色を背景画像の代表色に近付けることで、合成画像に生じる違和感をさらに低減できる。
【００１２】
第２の発明は、利用者を撮影する撮影部と、撮影画像における前記利用者の人物画像と背景画像とを合成した合成画像を作成する画像作成装置と、を有する写真撮影装置の前記画像作成装置としてコンピュータを機能させるためのプログラムであって、前記コンピュータを、前記撮影画像から前記人物画像を抽出する抽出手段と、前記人物画像の輪郭部分と前記背景画像の混色処理を行う混色手段と、して機能させるためのプログラムである。
【発明の効果】
【００１３】
本発明により、利用者の人物画像と背景画像を違和感なく合成できる写真撮影装置等を提供することができる。
【図面の簡単な説明】
【００１４】
【図１】写真撮影装置１の外観を示す図。
【図２】写真撮影装置１のシステム構成を示す図。
【図３】制御装置１０のハードウェア構成を示す図。
【図４】写真撮影装置１の処理の概略を示すフローチャート。
【図５】背景画像２１の例。
【図６】合成画像３０の例。
【図７】合成処理の手順を示すフローチャート。
【図８】撮影画像２２と人物画像２３の例。
【図９】人物画像２３の色の調整について説明する図。
【図１０】人物画像２３の輪郭部分の半透明化について説明する図。
【図１１】人物画像２３の輝度分布の補正について説明する図。
【図１２】人物画像２３と背景画像２１の合成について説明する図。
【図１３】人物画像２３の輪郭部分の混色について説明する図。
【発明を実施するための形態】
【００１５】
以下、図面に基づいて本発明の好適な実施形態について詳細に説明する。
【００１６】
（１．写真撮影装置１）
図１は本発明の実施形態に係る写真撮影装置１の外観を示す図であり、図２は写真撮影装置１のシステム構成を示す図である。
【００１７】
写真撮影装置１は利用者が中に入って撮影を行うボックス状の外観を有し、制御装置１０、表示部１１、課金部１２、撮影部１３、照明１４、プリンタ１５、プリント物取出口１７、背景板１８等を有する。背景板１８以外は、主に写真撮影装置１の前部（図１の左側に対応する）に設けられる。
【００１８】
制御装置１０は写真撮影装置１の内部に設けられ、写真撮影装置１の処理全体を制御する。特に本実施形態では、制御装置１０が、後述する手順により利用者の人物画像と背景画像を合成して合成画像を作成する画像作成装置として機能する。
【００１９】
図３は制御装置１０のハードウェア構成を示す図である。図３に示すように、制御装置１０は、例えば制御部１０１、記憶部１０２、入力部１０３、通信制御部１０４等をバス等により接続して構成したコンピュータにより実現できる。但しこれに限ることなく、適宜様々な構成をとることができる。
【００２０】
制御部１０１はCPU、ROM、RAMなどから構成される。CPUは、記憶部１０２、ROMなどの記憶媒体に格納された制御装置１０の処理に係るプログラムをRAM上のワークエリアに呼び出して実行する。ROMは不揮発性メモリであり、ブートプログラムやBIOSなどのプログラム、データなどを恒久的に保持している。RAMは揮発性メモリであり、記憶部１０２、ROMなどからロードしたプログラムやデータを一時的に保持するとともに、制御部１０１が各種処理を行うために使用するワークエリアを備える。
【００２１】
記憶部１０２はハードディスクドライブやソリッドステートドライブ、フラッシュメモリ等であり、後述する処理に際し制御装置１０が実行するプログラム、プログラム実行に必要なデータ、OSなどが格納される。これらのプログラムやデータは、制御部１０１により必要に応じて読み出され実行される。本実施形態では、記憶部１０２に後述する背景画像２１等のデータが格納されている。
【００２２】
入力部１０３は制御装置１０に各種の設定入力を行うものである。
通信制御部１０４はネットワーク等を介した通信を媒介する通信インタフェースであり、図示しないサーバ等との間で通信を行う。
【００２３】
図１、２の説明に戻る。表示部１１は、写真撮影装置１の入力部を兼ねたタッチパネル付ディスプレイ等により実現される。表示部１１は、利用者の操作、選択に係る各種の画面を表示し、画面上での利用者の指示入力等を受付ける。
【００２４】
課金部１２は、硬貨や紙幣の投入口、つり銭返却口、レシート取出口、レシートプリンタ等（不図示）を備え、利用者からの課金やレシートの発行を管理する。
【００２５】
撮影部１３は、撮影窓の内側にカメラ等を設けたものである。カメラには例えば高解像度のデジタルカメラが用いられるが、これに限ることはない。
【００２６】
照明１４は利用者を撮影する際の照明である。照明１４は例えば白色の光を照射する面光源であり、撮影部１３の上部に設けられるが、これに限ることはない。
【００２７】
プリンタ１５は、画像をプリントするものであり、写真撮影装置１の内部に設けられる。画像をプリントしたプリント物はプリント物取出口１７に排出される。プリンタ１５の方式や設置台数等は特に問わない。
【００２８】
背景板１８は、写真撮影装置１の後部（図１の右側に対応する）に設けられ、利用者の撮影時の背景となる。背景板１８は所定色のパネル等により構成される。
【００２９】
（２．写真撮影装置１が行う処理）
図４は、写真撮影装置１の処理の概略を示すフローチャートである。図４の各ステップは、写真撮影装置１の制御装置１０が写真撮影装置１の各部における処理を実行することにより行われる。
【００３０】
本実施形態では、撮影を開始するにあたって、利用者が課金部１２にて課金を行う。写真撮影装置１は、利用者からの課金を受付ける（Ｓ１）と、表示部１１に操作案内画面（不図示）を表示して撮影に係る操作案内を行うとともに、背景画像の選択画面（不図示）を表示し、利用者の人物画像と合成する背景画像の選択を受付ける（Ｓ２）。
【００３１】
図５の２１はこの背景画像の例である。図の例では背景画像２１が自然の風景を表したものであるが、背景画像２１はどのようなものでも構わない。なお、背景画像２１には、利用者の人物画像を重畳するための人物領域ｄが予め定められており、この人物領域ｄの位置やサイズに関する情報が背景画像２１に紐付けて記憶部１０２等に予め格納されている。
【００３２】
写真撮影装置１は、照明１４を点灯させ撮影部１３によって利用者の撮影を行い（Ｓ３）、制御装置１０が、撮影画像における利用者の人物画像を背景画像２１の上に重畳して合成（クロマキー合成）する。これにより人物画像と背景画像２１の合成画像が作成される（Ｓ４）。作成された合成画像は、プリンタ１５でシール等としてプリントされる（Ｓ５）。
【００３３】
図６（ａ）の３０はこの合成画像の例である。合成画像３０では背景画像２１の前記した人物領域ｄに人物画像２３が重畳されている。ただし、この人物画像２３は撮影画像における利用者の人物画像２３そのものでなく、これを後述する処理によって変換したものになっており、図６（ｂ）のように利用者の人物画像２３をそのまま重畳する場合に比べて違和感を低減したものとなっている。この処理については後述する。
【００３４】
（３．人物画像と背景画像の合成）
図７は上記したＳ４における合成処理の手順を示すフローチャートである。図７の各ステップは、写真撮影装置１の制御装置１０によって実行される。なお、本実施形態では表示部１１に画像編集画面（不図示）を表示し、後述する各処理（図７のＳ４３、Ｓ４５、Ｓ４７）を行うかどうかの利用者の選択を受付けて、当該選択に応じて各処理を実行する。
【００３５】
本実施形態では、まず、制御装置１０が撮影画像における利用者の人物画像を抽出する（Ｓ４１；抽出手段）。図８の２２は撮影画像の例であり、２３は撮影画像から抽出した人物画像の例である。人物画像２３の抽出は、撮影画像２２から背景板１８の色の領域ａを除く領域を抽出することにより行うことができる。
【００３６】
前記した画像編集画面では、人物画像２３の色を背景画像２１に合わせるかどうか、人物画像２３の輪郭を背景画像２１になじませるかどうか、人物画像２３の輝度分布を背景画像２１の光の当たり方に合わせるかどうか、の選択が行えるようになっており、人物画像２３の色を背景画像２１に合わせることが選択された場合（Ｓ４２；ＹＥＳ）、写真撮影装置１は、図９（ａ）に示すように人物画像２３の画素の色を背景画像２１の代表色に近付けるように調整する処理を行う（Ｓ４３；調整手段）。人物画像２３の色を背景画像２１に合わせることが選択されていない場合（Ｓ４２；ＮＯ）は後述するＳ４４の処理に移行する。
【００３７】
ここで、「色」とは色度（色相・彩度）と明度（輝度）を含む概念をいうものとし、各画素の輝度や色度は、例えば画素のRGB値を既知の手法でL*a*b*表色系の各値に変換して得ることができる。L*a*b*表色系では、L*によって輝度が、a*、b*によって色度が表される。
【００３８】
Ｓ４３では例えば制御装置１０が背景画像２１の画素の輝度と色度を解析し、背景画像２１の色の代表値（代表色）を算出する。代表色は例えば背景画像２１の画素間で輝度および色度の平均値や中央値をとったものである。図９（ｂ）のＢは、L*a*b*色空間（均等色空間）上で背景画像２１の代表色を表した一例である。
【００３９】
次に、制御装置１０は、人物画像２３の各画素の色（一例を図９（ｂ）のｈ１、ｈ２で示す）を、背景画像２１の代表色Ｂに近づける変換を行う。ここでは、例えば各画素の色ｈ１、ｈ２、…が所定値Δｈだけ代表色Ｂに近付くように、色の変換を行う。
【００４０】
こうして人物画像２３の色が背景画像２１に合わせて調整され、背景画像２１と人物画像２３の色の違いによる違和感を低減する。なお、人物画像２３の色の調整方法は上記に限定されず、例えば人物画像２３の画素の色ｈ１、ｈ２、…と背景画像２１の代表色Ｂの差に応じて、上記の値Δｈを変えてもよい。また、人物画像２３における肌色の画素（その色が色空間上の所定の肌色領域内にある画素）については、変換後もその色が肌色となる（上記の肌色領域内にある）ように値Δｈを調整することも可能である。
【００４１】
フローチャートの説明に戻る。写真撮影装置１は、人物画像２３の輪郭を背景画像２１になじませることが選択された場合（Ｓ４４；ＹＥＳ）、人物画像２３の輪郭の半透明化処理を行う（Ｓ４５）。人物画像２３の輪郭を背景画像２１になじませることが選択されていない場合（Ｓ４４；ＮＯ）は後述するＳ４６の処理に移行する。
【００４２】
Ｓ４５では、例えば図１０に示す人物画像２３の輪郭部分ｂのα値（透過度）を、100%未満且つ0%を超える値にして半透明にする。これにより、後述するＳ４８において人物画像２３を背景画像２１上に重畳したときに、輪郭部分ｂの色が、元の輪郭部分ｂの色と背景画像２１の画素の色を混色処理したものになる。
【００４３】
フローチャートの説明に戻る。写真撮影装置１は、人物画像２３の輝度分布を背景画像２１の光の当たり方に合わせることが選択された場合（Ｓ４６；ＹＥＳ）、人物画像２３の輝度分布の補正処理を行う（Ｓ４７；補正手段）。人物画像２３の輝度分布を背景画像２１の光の当たり方に合わせることが選択されていない場合（Ｓ４６；ＮＯ）は後述するＳ４８の処理に移行する。
【００４４】
本実施形態では、背景画像２１の光の当たり方を示す情報として、まず図１１（ａ）に示すように（仮想的な）光源Ｌを背景画像２１内の所定位置に設定する。光源Ｌの位置設定は、背景画像２１の輝度分布の解析によって行うことができ、例えば画像の左上から右下に向かって輝度が低下する傾向が有る場合、光源Ｌが画像の左上に設定される。必要に応じて、背景画像２１の輝度分布から得られる光源Ｌのその他の情報（例えば光の強さなど）を設定し、後述する補正に用いてもよい。
【００４５】
本実施形態では、図１１（ｂ）に示すように、上記のように背景画像２１の輝度分布に基づいて定められた光源Ｌの位置と、背景画像２１内に配置される人物画像２３の位置（人物領域ｄの位置）に基づいて、人物画像２３の輝度分布の補正を行う。ここでは、光源Ｌから人物画像２３（例えば人物領域ｄの中心Ｏ）に向かう方向ｄ１に沿って人物画像２３の画素の輝度が徐々に低くなるように補正を行う。
【００４６】
またこの際、光源Ｌから人物画像２３の各画素までの距離（一例をｄ２で示す）に基づいて人物画像２３の輝度分布の補正を行い、距離ｄ２が大きい画素ほど輝度が低くなるようにすることも可能である。例えば、光源Ｌからの距離ｄ２の二乗に応じて光量は低下するので、人物画像２３の輝度分布の補正は、この低下度合を反映したものとする。
【００４７】
補正の具体的な方法は特に限定されず、例えば上記した輝度の低下度合を輝度等の大小で表現したレイヤーを人物画像２３に重畳し、人物画像２３の各画素の色をレイヤーの輝度等を用いて再計算するスクリーンやオーバーレイ等の既知の手法を用いることができる。これにより、図１１（ｃ）に示すように人物画像２３の輝度分布が補正される。
【００４８】
なお、本実施形態では背景画像２１内に光源Ｌの位置を設定したが、図１１（ｄ）に示すように背景画像２１の所定位置（図の例では人物領域ｄの中心Ｏ）を原点とした３次元座標上で光源Ｌの位置を定めてもよい。
【００４９】
写真撮影装置１は、図１２に示すように、以上の画像処理を行った人物画像２３を背景画像２１の人物領域ｄ上に重畳して合成し、合成画像３０を作成する。このとき、半透明化された人物画像２３の輪郭部分は背景画像２１と混色される（Ｓ４８；混色手段）。
【００５０】
すなわち、図１３（ａ）に示すように人物画像２３（輪郭部分の近傍のみ示している）を背景画像２１の上に重畳した場合、人物画像２３の輪郭部分の内側にあるα値が0%（不透明）の画素Ｅ２の色は、合成後の画素Ｅ２’においても変化しない。一方、人物画像２３の輪郭部分のα値が100%未満且つ0%を超える（半透明の）画素Ｅ１の色は、背景画像２１において対応する位置にある画素ｅ１の色とα値による重み付け和等を行って再計算され、合成後の画素Ｅ１’の色は、画素Ｅ１、ｅ１の色をある比率で混色（ブレンド）したものになる。
【００５１】
なお、混色処理は上記に限らない。例えば前記した輪郭部分の半透明化処理を行わずに人物画像２３を背景画像２１上に重畳した合成画像３０において、人物画像２３の輪郭部分に対しガウスぼかし等の既知のぼかし処理を施すことも可能である。
【００５２】
この場合では、図１３（ｂ）に示す人物画像２３の輪郭部分の画素Ｅの色が、当該色とその周囲の画素の色（特に輪郭部分の外側にある背景画像２１の画素ｅの色）との重み付け和によって再計算されるので、ぼかし処理後の合成画像３０’の画素Ｅ’の色は、人物画像２３の輪郭部分の画素Ｅの色と、背景画像２１の画素ｅの色を含むその周囲の色とを、ある比率で混色したものになる。
【００５３】
以上の手順により作成された合成画像３０は前記のＳ５でプリントされるが、サーバに送信して利用者の端末からダウンロードできるようにしたり、写真撮影装置１から利用者の端末に直接送信したりすることも可能である。
【００５４】
以上説明したように、本実施形態によれば、利用者の撮影画像２２から抽出した人物画像２３を背景画像２１に合成するにあたり、上記のように人物画像２３の輪郭部分を背景画像２１と混色して人物画像２３の輪郭を背景画像２１になじませることで、合成画像３０に生じる違和感を低減でき、従来不自然になりがちであった合成画像を自然な仕上がりにできる。
【００５５】
混色は例えば輪郭部分を半透明化した人物画像２３を背景画像２１の上に重畳した合成画像３０を作成することによって行うことができ、人物画像２３の輪郭を背景画像２１に好適になじませることができる。
【００５６】
また本実施形態では、前記のＳ４７において、人物画像２３の輝度分布を背景画像２１の輝度分布に基づいて補正することで、人物画像２３の光の当たり方を背景画像２１の光の当たり方に合わせ、合成画像３０に生じる違和感をさらに低減できる。この際、背景画像２１の輝度分布から定められた光源Ｌの位置と人物画像２３の位置に基づいて輝度分布の補正を行うことで、背景画像２１の光の当たり方に合わせた補正を好適に行うことができる。また光源Ｌと人物画像２３の画素の距離ｄ２に応じた補正を行うことで、光源Ｌからの距離による光量の低下を表現した補正ができる。
【００５７】
さらに、本実施形態では、前記のＳ４３において、人物画像２３の画素の色を背景画像２１の代表色Ｂに近付けるように調整を行うことで、合成画像３０に生じる違和感をさらに低減できる。
【００５８】
しかしながら、本発明は上記の実施形態に限らない。例えば本実施形態では、図７のＳ４３、Ｓ４５、Ｓ４７の処理を行うかどうか画像編集画面上で利用者が選択するようにしたが、いずれかあるいは全ての処理を自動的に（強制的に）実行するようにしてもよい。
【００５９】
さらに、画像編集画面において利用者がペンツール等で指示した線や、スタンプツール等で指定したスタンプ、利用者が入力したテキストなどを合成画像３０の上に前景として重畳するなどの編集処理を更に行うことも可能である。
【００６０】
また本実施形態では、Ｓ４３において背景画像２１の画素を解析することで背景画像２１の代表色Ｂを算出したが、同様の解析方法で予め算出した代表色Ｂを背景画像２１と紐付けて記憶部１０２等に格納しておき、Ｓ４３の処理で用いるようにしてもよい。
【００６１】
また本実施形態では、Ｓ４７において背景画像２１の輝度分布を解析して光源Ｌの位置等を定めているが、同様の解析方法で予め算出した光源Ｌの位置を背景画像２１と紐付けて記憶部１０２等に格納しておき、Ｓ４７の処理で用いるようにしてもよい。また、Ｓ４７において背景画像２１と人物画像２３の輝度分布を解析して光の当たり方に由来する特徴量を算出し、当該特徴量の値が一致若しくは近付くように人物画像２３の輝度分布の補正を行ってもよい。
【００６２】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００６３】
１：写真撮影装置
１０：制御装置
１１：表示部
１２：課金部
１３：撮影部
１４：照明
１５：プリンタ
１６：通信制御部
１７：プリント物取出口
１８：背景板
２１：背景画像
２２：撮影画像
２３：人物画像
３０：合成画像
【図１】
2019003304.tif 000003
【図２】
2019003304.tif 000004
【図３】
2019003304.tif 000005
【図４】
2019003304.tif 000006
【図５】
2019003304.tif 000007
【図６】
2019003304.tif 000008
【図７】
2019003304.tif 000009
【図８】
2019003304.tif 000010
【図９】
2019003304.tif 000011
【図１０】
2019003304.tif 000012
【図１１】
2019003304.tif 000013
【図１２】
2019003304.tif 000014
【図１３】
2019003304.tif 000015